(57)【要約】【課題】類似したモード（例えばタイマモード１，２の表示及び予告音）が存在すると、報知機能が動作したときどのモードの報知音なのか判別に苦労する。【解決手段】報知機能を有するモードが２つ以上の複数のモードを備え、前記複数のモードを選択指定するモード指定手段１２と、指定されたモード内容を表示する表示手段１７と、前記指定されたモードに対応した報知音を発する音響手段２０とを有する電子時計において、前記モード指定手段１２で指定されたモードの報知機能を優先する報知選択手段１８を設け、前記モード指定手段１２で指定されたモード内容を表示中に、前記報知選択手段１８で選択された報知音を前記音響手段２０で発するように構成した。【選択図】　　　図１
2004085283.tif 000002
【特許請求の範囲】
【請求項１】
報知機能を有するモードが２つ以上の複数のモードを備え、前記複数のモードを選択指定するモード指定手段と、指定されたモード内容を表示する表示手段と、前記指定されたモードに対応した報知音を発する音響手段とを有する電子時計において、前記モード指定手段で指定されたモードの報知機能を優先する報知選択手段を設け、前記モード指定手段で指定されたモード内容を表示中に、前記報知選択手段で選択された報知音を前記音響手段で発することを特徴とする電子時計。
【請求項２】
前記モード指定手段で指定されたモードが報知機能を有していないモードを選択した時は前記報知選択手段で予め設定された優先順位の高い方の報知音を音響手段で発することを特徴とする請求項１記載の電子時計。
【発明の詳細な説明】
【０００１】
【発明の属する技術分野】
本発明は電子時計に関する。
【０００２】
【従来の技術】
近年、複数のモードを有し、各モードで報知機能（タイマモードの予告音及びタイムアップ音、アラームモードの設定時刻一致音等）を備えた電子時計が数多く製品化されている。
これらの製品は、指定したモードを表示し、表示したモードの報知機能は勿論、表示されていないモードの報知機能も有効にしている。
【０００３】
【発明が解決しようとする課題】
しかしながら、上記構成では複数のモードのうち類似したモード（例えばタイマモード１，タイマモード２の表示及び予告音）が存在すると、どのモードの報知音か判断が難しく、ましてや表示を見ても表示形式が似ており、間違える恐れがあった。
本発明は表示されたモードの報知音を優先して鳴らし、他モードの報知音を禁止することにより、報知音とモードの関係を明確にし、誤認識を防止すことを目的とするものである。
【０００４】
【課題を解決するための手段】
上記目的を達成するための本発明は次の様な構成としている。
報知機能を有するモードが２つ以上の複数のモードを備え、前記複数のモードを選択指定するモード指定手段と、指定されたモード内容を表示する表示手段と、前記指定されたモードに対応した報知音を発する音響手段とを有する電子時計において、前記モード指定手段で指定されたモードの報知機能を優先する報知選択手段を設け、前記モード指定手段で指定されたモード内容を表示中に、前記報知選択手段で選択された報知音を前記音響手段で発することを特徴とする電子時計。
【０００５】
前記モード指定手段で指定されたモードが報知機能を有していないモードを選択した時は前記報知選択手段で予め設定された優先順位の高い方の報知音を音響手段で発することを特徴とする請求項１記載の電子時計。
【０００６】
【発明の実施の形態】
以下図面に基づき本発明の一実施形態を説明する。
図１は本発明における電子時計の回路ブロック線図である。１は水晶振動子を基準信号とする発振回路を含む発振器であり、２は発振器１からの発振信号を入力して計時信号として１秒信号Ｓ２を出力する分周回路である。３は時刻計時回路であり、分周回路２からの１秒信号Ｓ２及び後述する時刻修正信号Ｓ５０を入力し、時刻情報Ｓ３１及び１日信号Ｓ３０を出力する。４はカレンダ計時回路であり、時刻計時回路３からの１日信号Ｓ３０及び後述するカレンダ修正信号Ｓ５１を入力し、カレンダ情報Ｓ４を出力する。
【０００７】
８は１秒信号Ｓ２を入力とし、ダウンカウントするタイマ回路Ａであり、タイマ情報Ｓ８を出力する。又、後述する設定信号Ｓ６２でカウント値を設定し、スタート／ストップ信号Ｓ６０でダウンカウントの開始、停止及びリセット信号Ｓ６１によりカウンタがクリアされる。
９は１秒信号Ｓ２を入力とし、ダウンカウントするタイマ回路Ｂであり、タイマ情報Ｓ９を出力する。又、後述する設定信号Ｓ７２でカウント値を設定し、スタート／ストップ信号Ｓ７０でダウンカウントの開始、停止及びリセット信号Ｓ７１によりカウンタがクリアされる。
【０００８】
１０、１１、１３、１４は報知機能制御手段であり、１０、１１は“０”検出回路Ａ、Ｂであり、それぞれタイマ情報Ｓ８、Ｓ９を入力し、カウント値が“０”になると、それぞれタイムアップ信号Ｓ１０、Ｓ１１を出力する。
１３、１４は予告音検出回路Ａ、Ｂであり、それぞれタイマ情報Ｓ８、Ｓ９を入力し、ダウンカウントするタイマ回路（Ａ）８、（Ｂ）９がタイムアップする前に後述する音響装置２０で報知音させる任意の時刻を検出し、予告音信号Ｓ１３、Ｓ１４を出力する。任意の時刻とは例えば１０分前までは１０分毎、１分前までは１分毎、１０秒前までは１０秒毎、タイムアップまでは１秒毎である。
【０００９】
１２はモード指定手段であるモード選択回路あり、スイッチＳＷａの動作に基づきモード選択信号ＴＫ（時刻モード選択信号）、ＣＬ（カレンダモード選択信号）、ＴＭ１（タイマ１モード選択信号），ＴＭ２（タイマ２モード選択信号）を順次出力する。
【表１】
2004085283.tif 000003
【００１０】
５はモード選択回路１２が時刻モードＴＫ、カレンダモードＣＬを選択した時に動作が許可される修正信号発生回路あり、スイッチＳＷｄで修正桁を選択し、スイッチＳＷｃで選択された桁の修正を行うための時刻修正信号Ｓ５０、カレンダ修正信号Ｓ５１を出力する。
６はモード選択回路１２が報知機能を有するタイマ１モードＴＭ１を選択した時に許可されるタイマ回路（Ａ）８を制御する制御回路Ａであり、スイッチＳＷｄのＯＮ状態でタイマ設定状態を選択し、スイッチＳＷｃで設定値の変更を１分単位で行う設定信号Ｓ６２、スイッチＳＷｄＯＦＦ状態のスイッチＳＷｃでダウンカウントを開始、停止するスタート／ストップ信号Ｓ６０、スイッチＳＷｂでダウンカウント停止時にカウンタをクリアするリセット信号Ｓ６１を出力する。
【００１１】
７はモード選択回路１２が報知機能を有するタイマ２モードＴＭ２選択した時に許可されるタイマ回路（Ｂ）９を制御する制御回路Ｂであり、制御回路（Ａ）６と同様の動作を行い、設定信号Ｓ７２、スタート／ストップ信号Ｓ７０、リセット信号Ｓ７１を出力する。
１５は表示切換回路であり、時刻情報Ｓ３１、カレンダ情報Ｓ４、タイマ情報Ｓ８及びＳ９を入力し、モード選択信号ＴＫ、ＣＬ、ＴＭ１，ＴＭ２で選択された表示情報Ｓ１５を出力する。１６は駆動信号Ｓ１６を出力する表示駆動回路であり、表示切換回路１５からの表示情報Ｓ１５を入力し、表示手段である液晶装置１７を駆動し、時刻などを表示する。
【００１２】
１８は報知選択手段である報知音選択回路であり、モード選択回路１２のモード選択信号ＴＭ１，ＴＭ２に対応したタイムアップ信号、予告音信号を選択し、報知音信号Ｓ１８を出力する。１９は報知音信号Ｓ１８を入力し、駆動信号Ｓ１９を出力する音響駆動回路であり、スピーカ等で構成される音響装置２０を駆動し、アラーム音などを報知する。尚、報知音選択回路１８はモード選択回路１２でモード選択信号ＴＭ１，ＴＭ２以外が選択されている時はタイマ（Ａ）８のタイムアップ信号Ｓ１０、予告音信号Ｓ１３を優先して選択信号Ｓ１８として出力する。
【００１３】
次に上記構成における電子時計の動作を図１に基づいて説明する。
先ず、タイマ１を使用するには、スイッチＳＷａを操作してモード選択回路１２でタイマ１モードを選択する。タイマ１モードが選択されると、選択回路１２はモード選択信号ＴＭ１に“Ｈ”を出力し、表示切換回路１５はタイマ回路（Ａ）８のタイマ情報Ｓ８を選択し、表示情報Ｓ１５として出力する。表示駆動回路１６は選択されたタイマ情報Ｓ８を入力し、液晶装置１７でタイマ１のタイマ情報Ｓ８を表示する。
同時に制御回路（Ａ）６はモード選択信号ＴＭ１により許可状態となり、タイマ回路（Ａ）８の制御が可能となる。この状態でスイッチＳＷｄをＯＮ状態にしたままスイッチＳＷｃを操作することにより、制御回路（Ａ）６は設定信号Ｓ６２を出力し、タイマ回路（Ａ）８の設定値を１分単位で所望の時間に変更する。スイッチＳＷｄをＯＦＦ状態にして設定値の変更を終了する。
【００１４】
スイッチＳＷｄがＯＦＦ状態でスイッチＳＷｃを操作すると、制御回路（Ａ）６がスタート／ストップ信号Ｓ６０を出力し、タイマ回路（Ａ）８はラン状態となり設定値からダウンカウントを開始する。タイマ回路（Ａ）８がラン状態で再度スイッチＳＷｃを操作するとストップ状態となりダウンカウントを停止する。又、ストップ状態でスイッチＳＷｂを操作すると、制御回路（Ａ）６がリセット信号Ｓ６１を出力し、タイマ回路（Ａ）８をクリアし、設定値を再セットする。
【００１５】
次にタイマ１がスタートしてラン状態にあるときに動作する“０”検出回路（Ａ）１０及び予告音検出回路（Ａ）１３について説明する。
タイマ１はスタート操作でタイマ回路（Ａ）８がラン状態となり設定値からダウンカウントを開始する。液晶装置１７がタイマ１のタイマ情報Ｓ８を表示している時に、予告音検出回路（Ａ）１３はタイマ回路（Ａ）８のタイマ情報Ｓ８を入力し、タイムアップまでの１０分前までは１０分間隔、１分前までは１分間隔、１０秒前までは１０秒間隔、１０秒前からは１秒ごとに予告音信号Ｓ１３を出力する。報知音選択回路１８は予告音信号Ｓ１３が入力される毎に報知音信号Ｓ１８を出力し、音響駆動回路１９によって音響装置２０を駆動してアラーム音にてタイマ１の予告の報知する。
【００１６】
そして液晶装置１７がタイマ１のタイマ情報Ｓ８を表示している時に、タイマ回路（Ａ）８がタイムアップすると“０”検出回路（Ａ）１０は“０”を検出してタイムアップ信号Ｓ１０を出力する。すると報知音選択回路１８はタイムアップ信号Ｓ１０の入力によって報知音信号Ｓ１８を出力し、音響駆動回路１９によって音響装置２０を駆動してアラーム音にてタイムアップがあったことを報知する。
【００１７】
なお、モード選択回路１２でタイマ１モードが選択されている時、あるいはタイマ１とタイマ２がラン状態で且つタイマモード１、タイマモード２の両方とも選択されていない時（すなわち、液晶装置１７がタイマ１のタイマ情報Ｓ８あるいはタイマ２のタイマ情報Ｓ９を表示していない時）は、報知音選択回路１８は予め優先順位を高く設定してあるタイマ１の予告音信号Ｓ１３、タイムアップ信号Ｓ１０を優先的に選択し、報知音信号Ｓ１８を出力する。音響駆動回路１９は報知音信号Ｓ１８に基づいて駆動信号Ｓ１９を出力し、音響装置２０を駆動する。
【００１８】
続いて、タイマ２を使用するには、スイッチＳＷａを操作してモード選択回路１２でタイマ２モードを選択する。タイマ２モードが選択されると、選択回路１２はモード選択信号ＴＭ２に“Ｈ”を出力し、表示切換回路１５はタイマ回路（Ａ）９のタイマ情報Ｓ９を選択し、表示情報Ｓ１５として出力する。表示駆動回路１６は選択されたタイマ情報Ｓ９を入力し、液晶装置１７でタイマ２のタイマ情報Ｓ９を表示する。
【００１９】
タイマ２モードのスタート／ストップ操作及びクリア操作についてはタイマ１モードと同様であり、ここでは動作説明を省略する。
【００２０】
次にタイマ２がスタートしてラン状態にあるときに動作する“０”検出回路（Ｂ）１１及び予告音検出回路（Ｂ）１４について説明する。
タイマ２はスタート操作でタイマ回路（Ｂ）９がラン状態となり設定値からダウンカウントを開始する。液晶装置１７がタイマ２のタイマ情報Ｓ９を表示している時に、予告音検出回路（Ｂ）１４はタイマ回路（Ｂ）９のタイマ情報Ｓ９を入力し、タイムアップまでの１０分前までは１０分間隔、１分前までは１分間隔、１０秒前までは１０秒間隔、１０秒前からは１秒ごとに予告音信号Ｓ１４を出力する。報知音選択回路１８は予告音信号Ｓ１４が入力される毎に報知音信号Ｓ１８を出力し、音響駆動回路１９によって音響装置２０を駆動してアラーム音にてタイマ２の予告の報知する。
【００２１】
そして液晶装置１７がタイマ１のタイマ情報Ｓ９を表示している時に、タイマ回路（Ｂ）９がタイムアップすると“０”検出回路（Ｂ）１１は“０”を検出してタイムアップ信号Ｓ１１を出力する。すると報知音選択回路１８はタイムアップ信号Ｓ１０の入力によって報知音信号Ｓ１８を出力し、音響駆動回路１９によって音響装置２０を駆動してアラーム音にてタイムアップがあったことを報知する。
【００２２】
なお、モード選択回路１２でタイマ１モードが選択されている時、あるいはタイマ１とタイマ２がラン状態で且つタイマモード１、タイマモード２の両方とも選択されていない時（すなわち、液晶装置１７がタイマ１のタイマ情報Ｓ８あるいはタイマ２のタイマ情報Ｓ９を表示していない時）は、報知音選択回路１８は予め優先順位を高く設定してあるタイマ１の予告音信号Ｓ１３、タイムアップ信号Ｓ１０を優先的に選択し、報知音信号Ｓ１８を出力する。音響駆動回路１９は報知音信号Ｓ１８に基づいて駆動信号Ｓ１９を出力し、音響装置２０を駆動する。
【００２３】
以上タイマを例にとり説明したが、本発明はこれに限定されるものではなく、クロノなど報知機能を有するモードを備えた電子時計でも同様の制御を行うことが可能である。
【００２４】
【発明の効果】
上記のごとく本発明によれば、複数のモードのうち類似したモード（例えばタイマモード１，２の表示及び予告音）が存在しても、指定したモードを表示し、表示したモードの報知機能を動作するようにしており、表示されていないモードの報知機能が動作することはないので容易に判別することが可能である。又指定したモードが報知機能のないモードの時は、予め報知機能を備えたモードに動作の優先度を設定しているため、携帯者は動作した報知機能を覚えるのが容易であり、報知機能の信頼性を高めた電子時計を供給できる。
【図面の簡単な説明】
【図１】本発明の一実施例である電子時計の回路ブロック図である。
【符号の説明】
８　タイマ回路（Ａ）
９　タイマ回路（Ｂ）
１０　“０”検出回路Ａ
１１　“０”検出回路Ｂ
１２　モード選択回路
１３　予告音検出回路Ａ
１４　予告音検出回路Ｂ
１５　表示切換回路
１６　表示駆動回路
１８　報知音選択回路
【図１】
2004085283.tif 000004